(57)【特許請求の範囲】
【請求項１】
遊技盤面上を進退自在に支持された可動役物を備えた遊技機であって、
前記可動役物は、複数個の分割片が集合した集合形態と、前記各分割片が離間した分散形態との間を変形、原形復帰自在に構成された装飾体を備え、
前記装飾体は、所定の複数の切断線に沿って分割された複数の分割片から成り、
前記複数の分割片は、固定された固定片と、該固定片に隣接配置され該固定片と近接した近接位置と該近接位置から離間した離間位置との間を進退する第１の可動片と、該第１の可動片と隣接配置され該第１の可動片と近接した近接位置と該近接位置から離間した離間位置との間を進退する第２の可動片と、を少なくとも備え、
前記第１の可動片、及び前記第２の可動片が一体となって前記固定片から離間する方向へ移動した後で、前記第２可動片が前記第１可動片から離間する方向へ移動することを特徴とする遊技機。
【発明の詳細な説明】
【技術分野】
【０００１】
本発明は、遊技盤面上において種々動作することによって遊技進行上特徴的な演出効果を発揮するように構成された装飾体を備えた遊技機に関する。
【背景技術】
【０００２】
パチンコ遊技機においては、遊技盤の盤面に入賞口、風車、図柄表示装置、電飾装置等の各種盤面部品を設けて遊技内容の多様性を図っている。例えば、遊技の進行中における入賞、その他の状況変化を契機として可動盤面部品（装飾体）を種々の方向に動作させることにより演出効果を高めている。
例えば、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、特許文献１には、大当たりになると図柄表示装置の表示内容に連動して役物を左右に動作させる構成が開示されている。また、特許文献２には、図柄が所定の組合せになると、役物を遊技盤の前後方向に移動させる構成が開示されている。
【先行技術文献】
【特許文献】
【０００３】
【特許文献１】特開２００４−１９５０８４公報
【特許文献２】特開平０６−００７５０９号公報
【発明の概要】
【発明が解決しようとする課題】
【０００４】
以上のように従来の可動盤面部品を進退動作させる機構にあっては、左右方向、或いは前後方向に単純に動作させたり、遊技盤面外にあった盤面部品が盤面内に出現するという程度の単純な変化に過ぎないため、可動盤面部品の動作量や動作タイミングに変化を付与したとしても変化に乏しい内容となり易く、遊技者に退屈感を与え、興趣を低下させるという問題があった。
本発明は上記に鑑みてなされたものであり、可動役物（装飾体）を、固定された本体部分と、本体部分に付設されて進退動作することにより可動役物の全体形状に大きな変化を与える複数の可動片と、から構成し、各可動片の進退方向を工夫することによって演出効果を高めた遊技機を提供するものである。
【課題を解決するための手段】
【０００５】
上記目的を達成するため、請求項１の発明に係る遊技機は、遊技盤面上を進退自在に支持された可動役物を備えた遊技機であって、前記可動役物は、複数個の分割片が集合した集合形態と、前記各分割片が離間した分散形態との間を変形、原形復帰自在に構成された装飾体を備え、前記装飾体は、所定の複数の切断線に沿って分割された複数の分割片から成り、前記複数の分割片は、固定された固定片と、該固定片に隣接配置され該固定片と近接した近接位置と該近接位置から離間した離間位置との間を進退する第１の可動片と、該第１の可動片と隣接配置され該第１の可動片と近接した近接位置と該近接位置から離間した離間位置との間を進退する第２の可動片と、を少なくとも備え、前記第１の可動片、及び前記第２の可動片が一体となって前記固定片から離間する方向へ移動した後で、前記第２可動片が前記第１可動片から離間する方向へ移動することを特徴とする。
各可動片の進退方向を工夫することによって可動役物の全体形状に大きな変化を与え、演出効果を高めることができる。
【発明の効果】
【０００７】
以上のように本発明によれば、可動役物（装飾体）を、固定された固定片と、固定片に付設されて進退動作することにより可動役物の全体形状に大きな変化を与える複数の可動片と、から構成し、しかも各可動片の進退方向、進退距離を種々工夫したことにより、遊技内容に多様性を与えることが可能となった。
【図面の簡単な説明】
【０００８】
【図１】本発明の実施形態に係る遊技機の一例としてのパチンコ遊技機を示した全体正面図である。
【図２】各種盤面部品を搭載した遊技盤の正面図である。
【図３】可動役物の初期状態を示す正面側斜視図である。
【図４】（ａ）乃至（ｃ）は可動役物の変形手順を示す正面図である。
【図５】（ａ）乃至（ｃ）は可動役物の変形手順を示す斜視図である。
【図６】可動役物の分解斜視図である。
【図７】図６を更に細分化した分解斜視図である。
【図８】第１及び第２の駆動機構の詳細を示す正面縦断面図であり、（ａ）は集合形態、（ｂ）は分散形態時の構成を夫々示す図である。
【図９】（ａ）（ｂ）は各駆動機構の動作を示す正面側説明図である。
【図１０】（ｃ）（ｄ）は、各駆動機構の動作を示す正面側説明図である。
【図１１】（ｅ）は、各駆動機構の動作を示す正面側説明図である。
【図１２】（ａ）（ｂ）は駆動機構の動作を示す背面側説明図である。
【図１３】（ｃ）（ｄ）は駆動機構の動作を示す背面側説明図である。
【図１４】（ｅ）は駆動機構の動作を示す背面側説明図である。
【図１５】分散形態時の状態を示す正面側斜視図である。
【発明を実施するための形態】
【０００９】
以下、本発明を図面に示した実施の形態により詳細に説明する。
図１は本発明の実施形態に係る遊技機の一例としてのパチンコ遊技機を示した全体正面図であり、図２は各種盤面部品を搭載した遊技盤の正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
遊技盤１のほぼ中央部には、中央が開口したセンター部材５が配置される。センター部材５の内部には図柄表示装置６が配置されている。図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【００１０】
センター部材５の上部には可動役物３０が設けられている。可動役物３０は、複数個の分割片が集合することによって一定の意味を有した文字、図形、或いは符号を象った集合形態と、前記各分割片が離間した分散形態との間を変形、原形復帰自在に構成された装飾体３１を備えている。
センター部材５の下方には、図柄表示装置６の特別図柄を可変表示させるための可変入賞装置１１が設けられている。また、図柄表示装置６の左右の盤面には、普通図柄表示装置１６に表示される普通図柄を作動させるためのゲート１２が設けられている。さらに可変入賞装置１１の右方には、特別遊技状態の一つである大当たり状態のときに開成状態になる開閉扉を有する大入賞口１３が設けられている。
可変入賞装置１１は、図柄表示装置６を可変表示させるための左右一対の開閉爪（可動片）を有する電動式チューリップを備えて構成される。
【００１１】
また遊技盤１には普通入賞口１４やアウト口１０等が設けられていると共に、風車１５や図示しない多数の遊技釘が突設されている。遊技釘は、遊技球の落下速度を遅くすると共に、落下方向を複雑に変化させて遊技進行上の興趣を高めている。
普通図柄表示装置１６に表示される普通図柄は、１個または複数個の図柄を変動表示可能であり、普通図柄始動口としてのゲート１２が遊技球を検出することを条件に、その図柄が乱数制御等により所定時間可変して停止するようになっている。
また図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１２】
図３は可動役物の初期状態を示す正面側斜視図であり、図４（ａ）乃至（ｃ）は可動役物の変形手順を示す正面図であり、図５（ａ）乃至（ｃ）は可動役物の変形手順を示す斜視図であり、図６は可動役物の分解斜視図であり、図７は図６を更に細分化した分解斜視図であり、図８は第１及び第２の駆動機構の詳細を示す正面縦断面図であり、（ａ）は集合形態、（ｂ）は分散形態時の構成を夫々示す図であり、図９（ａ）（ｂ）、図１０（ｃ）（ｄ）、及び図１１（ｅ）は、各駆動機構の動作を示す正面側説明図であり、図１２（ａ）（ｂ）、図１３（ｃ）（ｄ）、及び図１４（ｅ）は、各駆動機構の動作を示す背面側説明図であり、図１５は分散形態時の状態を示す正面側斜視図である。
【００１３】
可動役物３０は、複数個の分割片４０、５０、６０が集合することによって一定の意味を有した文字、図形、模様、或いは符号（本例では、「ａｂｃ」）を形成する集合形態（図４（ａ）、図５（ａ）等）と、各分割片が離間することにより文字等が分断される分散形態（図４（ｃ）、図５（ｃ）等）との間を変形、原形復帰自在に構成された装飾体３１を備えている。
装飾体３１は、集合形態における文字、図形、或いは符号を正規の視認姿勢（視認方向、本例では垂直方向）から所定角度傾斜した斜めの切断線Ｓ１、Ｓ２に沿って分割された複数の分割片４０、５０、６０から成る。切断線Ｓ１と切断線Ｓ２の延びる方向は平行ではなく、交差する方向である。各切断線Ｓ１、Ｓ２は、文字列「ａｂｃ」を不規則な位置で直線的に分断するため、各分割片４０、５０、６０が分離した際には連続した文字とはならない。
切断線Ｓ１は、垂直方向に対して反時計回り方向へ４５度程度回動した方向に延びる直線であり、鋭い刃物により切断した時に形成される切断線（直線）をイメージしている。また、切断線Ｓ２は、垂直方向に対して時計回り方向へ４５度程度回動した方向に延びる直線であり、鋭い刃物により切断した時に形成される切断線をイメージしている。本例では、二本の切断線Ｓ１、Ｓ２は、下端部を近接させた状態で９０度異なった方向へ延びている。
なお、各切断線Ｓ１、Ｓ２の延びる方向は、垂直線方向であってもよい。
【００１４】
また、分割片４０はセンター部材５、或いは遊技盤に固定されたベース本体７０に固定された固定片である。分割片５０は、固定片４０に隣接配置され固定片と近接した近接位置と該近接位置から離間した離間位置との間を進退する第１の可動片である。分割片６０は、第１の可動片５０と隣接配置され第１の可動片と近接した近接位置と該近接位置から離間した離間位置との間を進退する第２の可動片である。
第１の可動片５０は、ベース本体７０によって図４（ｂ）に示した傾斜方向Ｄ２へ進退自在に支持された第１の可動ベース部材８０に固定されている。第１の可動片５０及び第１の可動ベース部材８０は、ベース本体７０、及び第１の可動ベース部材８０に跨って搭載した第１の駆動機構９０により傾斜方向Ｄ２に直線的に進退駆動される。
第２の可動片６０は、第１の可動ベース部材８０に搭載した第２の駆動機構１００によって図４（ｃ）に示した傾斜方向Ｄ４へ直線的に進退するように構成されている。
図５に示すようにベース本体７０は前面に前カバー７１を備え、前カバー７１の前面にはプリント基板７６、化粧板７７が順次組み付けられる。ベース本体７０の前面と前カバー７１との間に形成される空間には第１の駆動機構９０を構成する各部品が収容される。前カバー７１の背面には裏カバー７８が組み付けられる。
【００１５】
本発明の特徴的な構成は、固定片４０に対する第１の可動片５０の離間時における移動方向Ｄ２と、第１の可動片５０に対する第２の可動片６０の離間時における移動方向Ｄ４が、夫々各切断線Ｓ１、Ｓ２の延びる方向Ｄ１、Ｄ３と非平行な方向である点にある。しかも、固定片４０の端縁４０ａと第１の可動片５０の端縁５０ａとは常に平行であり、第１の可動片５０の他方の端縁５０ｂと第２の可動片６０の端縁６０ａとは常に平行である。
なお、各分割片４０、５０、６０に文字、図形、模様、或いは符号を表示することは必須要件ではなく、各分割片の外形輪郭、形状自体が文字、図形、符号等々を表示していてもよい。
【００１６】
以下、図面に示した具体的な実施形態に基づいて更に説明する。
可動役物３０を構成する装飾体３１は、第１及び第２の駆動機構９０、１００によって集合形態（図３、図４（ａ）、図５（ａ））と、分散形態（図４（ｃ）、図５（ｃ））との間を進退、変形することができる。
図３等に示した集合形態においては、固定片４０の端縁４０ａと第１の可動片５０の端縁５０ａとが密着しており、第１の可動片５０の他端縁５０ｂと第２の可動片６０の端縁６０ａとが密着している。そして、各分割片４０、５０、６０の前面に跨って描かれた文字である「ａｂｃ」が連続した図柄として視認できる。各分割片は、文字「ａｂｃ」が切断線Ｓ１、Ｓ２によって不規則に分断されるように構成、配置されている。
【００１７】
次に、図４（ｂ）、図５（ｂ）に示した中間形態では、固定片４０に対して、第１の可動片５０と第２の可動片６０とが結合したままで離間する。この際の第１及び第２の可動片の移動方向は、切断線Ｓ１の延長方向Ｄ１ではなく、延長方向Ｄ１に対して所定角度θ１だけずれた傾斜方向Ｄ２となっている。このため、第１及び第２の可動片５０、６０は、固定片４０に対して大きく離間し、遊技盤前面に広く展開した印象を与える。
次に、図４（ｃ）、図５（ｃ）に示した最終の分散形態では、第１の可動片５０に対して第２の可動片６０が離間する。この際の第２の可動片６０の移動方向は、切断線Ｓ２の延長方向Ｄ３ではなく、延長方向Ｄ３に対して所定角度θ２だけずれた傾斜方向Ｄ４となっている。このため、第２の可動片６０は、第１の可動片５０に対して大きく離間し、遊技盤前面に広く展開した印象を与える。
しかも中間形態において第１の可動片５０が移動する方向Ｄ２と、第２の可動片６０の移動方向Ｄ４とは略９０度ずれているため、変形動作における変化の方向性が多様となり、可動範囲が広くなり、この結果として変形時の意外性が高まり、遊技内容に多様な変化を与えることができる。
各分割片の表面に記載された文字等（或いは、各分割片自体の形状）は、分散形態においては各切断線によって分断されているため、連続した文字としては認識することができない。
【００１８】
次に、図６乃至図１５に基づいて第１、及び第２の駆動機構の構成例について説明する。
第１の駆動機構９０は、集合形態にある各分割片４０、５０、６０から第１及び第２の可動片５０、６０を離間させたり、初期位置（集合形態）に復帰させるための手段であり、第２の駆動機構１００は第１の可動片５０から第２の可動片６０を離間させたり初期位置に復帰させるための手段である。
第１の駆動機構９０は、ベース本体７０の裏面側に固定されたモータ９１と、ベース本体の前面側に回転自在に軸支され、且つモータの出力軸に固定された駆動ギヤ９２と、ベース本体の前面側に回転自在に軸支され、且つ駆動ギヤ９２により回転駆動される従動ギヤ９３と、第１の可動ベース部材８０に固定されてベース本体７０へ向けて突出し且つ従動ギヤ９３と噛合するラックギヤ９５ａを備えたラックギヤ部材９５と、ベース本体７０の前面に固定されてラックギヤ部材９５を所定の直線軌道（傾斜方向Ｄ２）に沿ってガイドするガイド部材９６と、を備える。
【００１９】
図７に示すようにラックギヤ部材９５の背面にはスライダー９５ｂが固定されており、スライダー９５ｂは、可動スライダー９５ｃを介してガイド部材９６によってその長手方向（傾斜方向Ｄ２）に沿ってスムーズにガイドされる。
モータ９１の正逆転駆動により従動ギヤ９３が正転、逆転することにより、ラックギヤ部材９５（第１の可動ベース部材８０）がガイド部材９６に沿って傾斜方向Ｄ２へ進退する。
ベース本体７０のガイド部材９６の上端部に近い部位にはフォトインタラプタ９７が配置され、フォトインタラプタ９７は、図９（ａ）、図１２（ａ）に示したようにラックギヤ部材９５が初期位置にあることを検知する。
前カバー７１にはラックギヤ部材９５の移動経路と対応する位置にスリット７１ａが貫通形成されており、このスリット７１内にラックギヤ９５から突出したピンを移動自在に遊嵌することにより、ラックギヤ部材を安定してガイドするようにしている。
【００２０】
次に、第２の駆動機構１００を支持する第１の可動ベース部材８０は、図７に示すように前ケース片８１と、中間ケース片８２と、後ケース片８３とを備える。前ケース片８１の前面には第１の可動片５０が固定される。
第２の駆動機構１００は、第１の可動ベース部材８０の背面側に固定されたモータ１０１と、第１の可動ベース部材８０の内部（前ケース片８１と中間ケース片８２との間）において回転自在に軸支されてモータの出力軸に一体化された駆動ギヤ１０２と、駆動ギヤ１０２と隣接配置されてこれと噛合した状態で回転自在に軸支された従動ギヤ１０３と、中間ケース片８２の前面に設けた軸支部８２ａによって一端に設けた回動軸（或いは軸穴）１０５ａを回動自在に軸支された揺動片１０５と、第１の可動ベース部材８０の内部に差し渡した二本の並行なガイド棒１１０に一端に設けた挿通穴１１１ａを挿通されることによって傾斜方向Ｄ４へ進退自在にガイドされる第２の第２の可動ベース部材１１１と、を備える。第２の可動片６０は第２の可動ベース部材１１１に固定される。
中間ケース片８２には揺動片１０５の背面に設けたピンを遊嵌させることにより回動軸１０５ａを中心とした揺動片の揺動をガイドする円弧状のスリット８２ｂと、第２の可動ベース部材１１１の他のピンを遊嵌させることにより可動ベース部材の傾斜方向Ｄ４への直線移動をガイドする直線状のスリット８２ｃが形成されている。スリット８２ｂの近傍に設けた穴８２ｄからはフォトインタラプタ８５の一部が前方へ突出しており、揺動片１０５に設けた被検知部を検知する。フォトリンタラプタは揺動片の位置を検知することにより、制御手段が第２の可動片６０の位置を把握する。
【００２１】
従動ギヤ１０３の前面には外周縁に沿ってピン１０３ａが突設されており、ピン１０３ａは揺動片１０５に設けた第１の長穴１０５ｂ内に遊嵌しており、従動ギヤ１０３が一方向へ回転する過程で第１の長穴内を進退する。第１の長穴１０５ｂの先端寄り位置には第２の長穴１０５ｃが形成されており、第２の長穴１０５ｃには第２の可動ベース部材１１１の先端背面に設けたピン１１１ｂが進退自在に遊嵌している。
モータ１０１が従動ギヤ１０３を図８の時計回り方向へ回転させることにより、ピン１０３ａが第１の長穴１０５ｂ内を右方向へ移動して回動軸１０５ａを中心として揺動片１０５を時計回り方向へ揺動させるため、第２の長穴１０５ｃ内にピン１１１ｂを遊嵌させた第２の可動ベース部材１１１はガイド棒１１０に沿って傾斜方向Ｄ４（下向き）へ移動する。
【００２２】
次に、図９乃至図１１の各駆動機構の動作を示す正面側説明図と、図１２乃至図１４の各駆動機構の動作を示す背面側説明図に基づいて各駆動機構の動作を説明する。
可動役物３０が、図９（ａ）、図１２（ａ）に示した集合形態（初期状態）から図１１（ｅ）、図１４（ｅ）に示した分散形態に変形する手順、及び各駆動機構の動作を説明する。
まず、初期状態では、図示のように第１の駆動機構９０を構成する従動ギヤ９３がラックギヤ部材９５を初期位置に保持しているため、第１の可動ベース部材８０が斜め下向きに突出していない非突出位置にあり、固定片４０に対する各可動片５０、６０の位置関係は、図４（ａ）、図５（ａ）に示した状態にある。この時、第２の駆動機構１００では、従動ギヤ１０３のピン１０３ａが上方に位置していることによって揺動片１０５を最上昇位置に保持しているため、揺動片１０５の先端側の第２の長穴１０５ｃ内に遊嵌したピン１１１ｂを介して第２の可動ベース部材１１１も最上昇位置に保持されている。
この状態では、図４（ａ）、図５（ａ）のように「ａｂｃ」の文字は連続した視認可能な状態にある。
【００２３】
次いで、第１の駆動機構を構成するモータ９１が駆動を開始して、従動ギヤ９３が図９（ｂ）における時計回り方向（図１２（ｂ）における反時計回り方向）へ回動を開始すると、従動ギヤ９３と噛合するラックギヤ部９５ａを有したラックギヤ部材９５がＤ２で示す傾斜方向へ移動を開始する。従動ギヤ９３が更に同方向への回転を続けることにより、第１及び第２の可動片５０、６０（第１の可動ベース部材８０、及び第２の可動ベース部材１１１）は一体となって移動し、図１０（ｃ）（図１３（ｃ））に示した位置にて傾斜方向Ｄ２への移動を完了する（図４（ｂ））。この間、第２の駆動機構１００は作動しないため、第２の可動片５０、６０は近接したままの状態を保持している。
【００２４】
次に、図４（ｂ）、図５（ｂ）の中間状態から図４（ｃ）、図５（ｃ）の分散形態に移行させるために、制御手段は第２の駆動機構１００を作動開始させる。
第２の駆動機構１００を作動させるために制御手段は、図１０（ｃ）の状態に移行してからモータ１０１を駆動して従動ギヤ１０３を図１０（ｃ）の時計回り方向（図１３（ｃ）の反時計回り方向）へ回転させる。すると、従動ギヤのピン１０３ａが第１の長穴１０５ｂ内を右方向へ移動することにより、揺動片１０５が回動軸１０５ａを中心として下向き（図１０（ｃ）の時計回り方向）に揺動し、先端の第２の長穴１０５ｃにピン１１１ｂを遊嵌させた第２の可動ベース部材１１１をガイド棒１１０に沿って傾斜方向Ｄ４へ下降させる。第２の駆動機構１００の作動によって第２の可動片６０は図１０（ｄ）（図１３（ｄ））の状態を経て図１１（ｅ）（図１４（ｅ））の分散形態に移行する。この時点でフォトインタラプタ８５が揺動片１０５に設けた被検知部を検知することにより、制御手段は装飾体が分散形態に移行したことを判定し、モータ１０１を停止させる。
【００２５】
図１１（ｅ）、図１４（ｅ）の分散形態から図９（ａ）、図１２（ａ）の集合形態に移行する場合には、制御手段はモータ１０１を駆動して従動ギヤ１０３を図１１（ｅ）の時計回り方向（図１４（ｅ）の反時計回り方向）へ回動させる。これにより、揺動片１０５が回動軸１０５ａを中心として上向きに回動し、第２の可動ベース部材１１１をガイド棒１１０に沿って斜め上向き（傾斜方向Ｄ４）へ移動させ、図１０（ｄ）（図１３（ｄ））の中間形態を経て図１０（ｃ）（図１３（ｃ））の状態に移行させる。フォトインタラプタ８５が揺動片１０５に設けた被検知部を検知することにより、制御手段は第２の駆動機構１００が図１０（ｃ）（図１３（ｃ））の状態に復帰したことを知り、モータ１０１を停止させる。
次いで制御手段はモータ９１を逆転駆動し、従動ギヤ９３を図１０（ｃ）の反時計回り方向（図１３（ｃ）の時計回り方向）へ回転させることにより、ラックギヤ部材９５及び第１の可動ベース部材８０を斜め上向き（傾斜方向Ｄ２）に上昇開始させる。ラックギヤ部材９５が図９（ａ）、図１２（ａ）の最上昇位置に達した時点で、制御手段はフォトインタラプタ９７からの検知信号を受けてモータ９１を停止させる。
【００２６】
以上のように本発明の可動役物では、装飾体３１を構成する各分割片４０、５０、６０が集合形態から分散形態に変形した時に、大きな形状変化を実現できる。即ち、固定片４０に対する可動片５０、６０の移動方向が切断線Ｓ１の延長方向Ｄ１とは角度θ１だけずれた傾斜方向Ｄ２であるため、固定片４０の端縁４０ａの延びる方向Ｄ１と交差する方向へ各可動片５０、６０が離間し、離間距離が大きくなる。また、同様に第１の可動片５０に対する第２の可動片６０の移動方向が切断線Ｓ２の延長方向Ｄ２とは角度θ２だけずれた傾斜方向Ｄ４であるため、第１の可動片５０の端縁５０ｂの延びる方向Ｄ３と交差する方向へ第２の可動片６０が離間し、離間距離が大きくなる。
このため、集合形態においてはコンパクトでありながら、分散形態においては遊技盤面上に可動片を大きく展開させることが可能となり、変形動作における変化の方向性を多様化し、遊技中の演出内容に変化を与えて多様化することが可能となる。
このように本発明によれば、各可動片の進退方向を工夫することによって可動役物の全体形状に大きな変化を与え、演出効果を高めることができる。
【００２７】
また、切断線は正規の視認方向から傾斜した方向へ延びている一方で、各可動片の移動方向へ切断線の延長方向と交差する傾斜方向であるため、固定片に対する第１の可動片の移動方向、移動距離、第１の可動片に対する第２の可動片の移動方向、移動距離が多様性を有した内容となる。
また、第１の可動片を固定片により支持された第１の可動ベース部材により支持し、第２の可動片を第１の可動ベース部材に支持された第２の可動ベース部材により支持したため、部品点数を減少させて構成をコンパクト化することができる。従って、配置スペースに制限がある遊技盤面内にコンパクトに配置することができる。
また、第１の可動片を駆動する第１の駆動機構と、第２の可動片を駆動する第２の駆動機構を、夫々ベース本体、第１の可動ベース部材により夫々支持したので、部品点数を減少させて構成をコンパクト化することができる。従って、配置スペースに制限がある遊技盤面内にコンパクトに配置することができる。
なお、パチンコ遊技機の他の詳細な構成については図示説明していないが、本願発明の技術的範囲中にパチンコ遊技機、及び遊技盤が含まれることに疑いがない。
【符号の説明】
【００２８】
１…遊技盤、２…ガラス枠、３…皿部、４…発射レバー、５…センター部材、１０…アウト口、１１…可変入賞装置、１２…ゲート、１３…大入賞口、１４…普通入賞口、１５…風車、１６…普通図柄表示装置、３０…可動役物、３１…装飾体、４０…固定片、４０ａ…端縁、５０…第１の可動片、５０ａ…端縁、５０ｂ…他端縁、６０…第２の可動片、６０ａ…端縁、７０…ベース本体、７１…前カバー、７７…化粧板、７８…裏カバー、８０…可動ベース部材、８１…前ケース片、８２…中間ケース片、８２ａ…軸支部、８２ｂ…スリット、８２ｃ…スリット、８２ｄ…穴、８３…後ケース片、８５…フォトインタラプタ、９０…第１の駆動機構、９１…モータ、９２…駆動ギヤ、９３…従動ギヤ、９５…ラックギヤ部材、９５ａ…ラックギヤ部、９５ｂ…スライダ、９６…ガイド部材、９７…フォトインタラプタ、１００…駆動機構、１０１…モータ、１０２…駆動ギヤ、１０３…従動ギヤ、１０３ａ…ピン、１０５…作動片、１０５…揺動片、１０５ａ…回動軸、１０５ｂ…第１の長穴、１０５ｃ…台２の長穴、１１０…ガイド棒、１１１…可動ベース部材、１１１ａ…挿通穴、１１１ｂ…ピン
【図１】
0005890640.tif 000002
【図２】
0005890640.tif 000003
【図３】
0005890640.tif 000004
【図４】
0005890640.tif 000005
【図５】
0005890640.tif 000006
【図６】
0005890640.tif 000007
【図７】
0005890640.tif 000008
【図８】
0005890640.tif 000009
【図９】
0005890640.tif 000010
【図１０】
0005890640.tif 000011
【図１１】
0005890640.tif 000012
【図１２】
0005890640.tif 000013
【図１３】
0005890640.tif 000014
【図１４】
0005890640.tif 000015
【図１５】
0005890640.tif 000016